(57)【特許請求の範囲】
【請求項１】
目地部を介して設けられた左右の建物の一方の建物の通路が形成された外壁躯体の、該通路の床面より下部位置に後端部が水平方向に所定間隔となるように枢支され、前記左右の建物の他方の建物側へ突出する先端部が上下方向に回動する複数個のガイド部材、この複数個のガイド部材にスライド移動可能に取付けられる後端部が前記他方の建物の通路が形成された外壁躯体の、該通路の床面より下部位置に枢支された複数個のスライド部材とからなる床用目地機構支持機構と、この床用目地機構支持機構の複数個のスライド部材のスライド移動を阻止することなく、両端部が前記複数個のガイド部材および前記複数個のスライド部材の上部後端部寄りの部位に取付けられた伸縮移動可能な床用目地機構とからなることを特徴とする高層階用床目地装置。
【請求項２】
床用目地機構支持機構の複数個のガイド部材は目地部の幅寸法の３分の２の長さの筒部材あるいは、該筒部材内にスライド移動可能に挿入される目地部の幅寸法の３分の２の長さのバー部材であり、複数個のスライド部材は目地部の幅寸法の３分の２の長さのバー部材あるいは、該バー部材が内部にスライド移動可能に挿入される目地部の幅寸法の３分の２の長さの筒部材であることを特徴とする請求項１記載の高層階用床目地装置。
【請求項３】
床用目地機構支持機構の複数個のガイド部材は、目地部の幅寸法の３分の２の長さの上部が開口したリップミゾ形鋼で形成された筒部材であり、複数個のスライド部材は前記筒部材の上部開口内に位置し、かつ上面が該筒部材の上面とほぼ同一面となる突片を備えた複数個のローラーによって、前記筒部材の内壁面と接するバー部材であることを特徴とする請求項１記載の高層階用床目地装置。
【請求項４】
床用目地機構は床用目地機構支持機構の複数個のガイド部材の上部後端部寄りの部位に固定されたチャンネル状のガイド部材側支持金具と、複数個のスライド部材の上部後端部寄りの部位に固定されたチャンネル状のスライド部材側支持金具と、このスライド部材側支持金具の中央部に一端部が位置し、他端部が前記ガイド部材側支持金具の中央部に位置する目地プレートと、前記スライド部材側支持金具の上部を前記目地プレートの移動を可能に覆うスライド部材側カバープレートと、前記ガイド部材側支持金具の上部を前記目地プレートの移動を可能に覆うガイド部材側カバープレートとで構成されていることを特徴とする請求項１記載の高層階用床目地装置。
【発明の詳細な説明】
【技術分野】
【０００１】
本発明は目地部を介して設けられた左右の建物を接続する渡り通路、特に高層階部分の渡り通路の床目地装置として使用される高層階用床目地装置に関する。
【背景技術】
【０００２】
従来、左右の建物を接続する渡り通路部分の床用目地装置は、目地プレートの両端部寄りの部分をチャンネル状の支持金具で支持するとともに、該支持金具の上部を目地プレートの移動ができるようにカバープレートで覆うように構成されている。
【０００３】
このように構成された渡り通路に使用される床用目地装置は、低い階では問題が生じないが、高層階では地震時の揺れ動きで、下方より上方の目地部の幅が広くなり、目地プレートの両端部やカバープレートが損傷したり、上方へハネ上げられ危険になるという欠点があった。
【先行技術文献】
【特許文献】
【０００４】
【特許文献１】特許第３０６２６５１号
【特許文献２】特許第３３２２８４１号
【発明の概要】
【発明が解決しようとする課題】
【０００５】
本発明は以上のような従来の欠点に鑑み、高層階であっても、地震の揺れ動きで目地プレートの両端部やカバープレートが損傷したり、ハネ上げられたりすることがなく、安全に使用することができる高層階用床目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物の一方の建物の通路が形成された外壁躯体の、該通路の床面より下部位置に後端部が水平方向に所定間隔となるように枢支され、前記左右の建物の他方の建物側へ突出する先端部が上下方向に回動する複数個のガイド部材、この複数個のガイド部材にスライド移動可能に取付けられる後端部が前記他方の建物の通路が形成された外壁躯体の、該通路の床面より下部位置に枢支された複数個のスライド部材とからなる床用目地機構支持機構と、この床用目地機構支持機構の複数個のスライド部材のスライド移動を阻止することなく、両端部が前記複数個のガイド部材および前記複数個のスライド部材の上部後端部寄りの部位に取付けられた伸縮移動可能な床用目地機構とで高層階用床目地装置を構成している。
【発明の効果】
【０００８】
以上の説明から明らかなように、本発明にあっては次に列挙する効果が得られる。
（１）請求項１により、床用目地機構支持機構が左右の建物の外壁躯体に先端部が上下方向に回動するように取付けられ、かつ先端部寄りの部位の複数個のガイド部材と複数個のスライド部材とがスライド移動可能に取付けられているので、左右の建物が異なる左右方向に揺れ動いても、複数個のガイド部材と複数個のスライド部材とのスライド移動によって、その揺れ動きを吸収することができる。
また、左右の建物の高層階に設置されていても、複数個のガイド部材と複数個のスライド部材の左右の建物の外壁躯体への取付けが、先端部が上下方向に回動できる枢支状態で取付けられているため、複数個のガイド部材と複数個のスライド部材の上面は一直線状態となる。
このため、該複数個のガイド部材と複数個のスライド部材の後端部寄りの部位に取付けられた床用目地機構が、従来のようにカバープレートや目地プレートを損傷したり、カバープレートをハネ上げたりすることなく、伸縮して、地震の揺れ動きを吸収することができ、安全に使用することができる。
（２）前記（１）により、床用目地機構の両端部を複数個のガイド部材と複数個のスライド部材の後端部寄りの部位に取付けるだけで、従来使用されている床用目地機構であれば、どんな構造のものでも使用することができる。
（３）前記（１）により、床用目地機構を床用目地機構支持機構で支持しているので、二重支持高層にできるので、より安全に使用することができる。
（４）請求項２も前記（１）〜（３）と同様な効果が得られるとともに、床用目地機構支持機構をガイド部材とスライド部材との組み合わせにおいて、ガイド部材をスライド部材と同じ構成にし、スライド部材をガイド部材と同じ構成のものを使用することにより、床用目地機構支持機構の上面をほぼ同一面にできる。
したがって、床目地機構の設置が容易にできる。
（５）請求項３も前記（１）〜（３）と同様な効果が得られるとともに、複数個のガイド部材と複数個のスライド部材とのスライド移動をスムーズに移動させることができる。
（６）請求項４も前記（１）〜（３）と同様な効果が得られる。
【図面の簡単な説明】
【０００９】
【図１】本発明を実施するための第１の形態の側面図。
【図２】本発明を実施するための第１の形態の平面図。
【図３】図２の３−３線に沿う断面図。
【図４】本発明を実施するための第１の形態の床用目地機構支持機構の平面図。
【図５】図４の５−５線に沿う断面図。
【図６】本発明を実施するための第１の形態の目地部が狭くなった動作説明図。
【図７】本発明を実施するための第１の形態の目地部が広くなった状態を示す側面図。
【図８】図７の拡大断面図。
【図９】本発明を実施するための第２の形態の側面図。
【図１０】本発明を実施するための第２の形態の平面図。
【図１１】本発明を実施するための第２の形態の床用目地機構支持機構の平面図。
【図１２】図１１の１２−１２線に沿う断面図。
【図１３】本発明を実施するための第３の形態の側面図。
【図１４】本発明を実施するための第３の形態の平面図。
【図１５】本発明を実施するための第３の形態の床用目地機構支持機構の平面図。
【図１６】図１５の１６−１６線に沿う断面図。
【図１７】本発明を実施するための第４の形態の側面図。
【図１８】本発明を実施するための第４の形態の平面図。
【図１９】本発明を実施するための第４の形態の床用目地機構支持機構の平面図。
【図２０】図１９の２０−２０線に沿う断面図。
【図２１】本発明を実施するための第５の形態の側面図。
【図２２】本発明を実施するための第５の形態の平面図。
【図２３】本発明を実施するための第５の形態の床用目地機構支持機構の平面図。
【図２４】図２３の２４−２４線に沿う断面図。
【図２５】本発明を実施するための第５の形態の前後方向の動作説明図。
【図２６】本発明を実施するための第６の形態の側面図。
【図２７】本発明を実施するための第６の形態の平面図。
【図２８】本発明を実施するための第６の形態の床用目地機構支持機構の平面図。
【図２９】図２８の２９−２9に沿う断面図。
【図３０】本発明を実施するための第６の形態の前後方向の動作説明図。
【図３１】本発明を実施するための第7の形態の側面図。
【図３２】本発明を実施するための第7の形態の平面図。
【図３３】図３２の３３−33に沿う断面図。
【発明を実施するための形態】
【００１０】
以下、図面に示す本発明を実施するための形態により、本発明を詳細に説明する。
【００１１】
図１ないし図８に示す本発明を実施するための第１の形態において、１は目地部２を介して設けられた左右の建物３、３を主に高層階で接続する渡り通路として使用される部分に用いられる本発明の高層階用床目地装置で、この高層階用床目地装置１は前記左右の建物３、３の一方の建物３の通路４が形成された外壁躯体５の、該通路４の底面４ａより下部位置に後端部が水平方向に所定間隔となるように枢支ピン６で枢支され、前記左右の建物の他方の建物３側へ突出する先端部が上下方向に回動する複数個のガイド部材７、この複数個のガイド部材７にスライド移動可能に取付けられる後端部が前記他方の建物３の通路４が形成された外壁躯体５に、該通路４の床面４ａより下部位置に枢支ピン８で枢支された複数個のスライド部材９とからなり、本実施例では前記複数個のガイド部材７、７間と前記複数個のスライド部材９、９間に、スライド部材９とガイド部材７が交互に配置された状態で、前記一方の建物３の外壁躯体５と前記他方の建物３の外壁躯体５とに取付けられて構成された床用目地機構支持機構１０と、この床用目地機構支持機構１０の複数個のスライド部材９の複数個のガイド部材７とのスライド移動を阻止することなく、両端部が前記一方の建物３に取付けられた複数個のガイド部材７、前記他方の建物３に取付けられた複数個のガイド部材７の上部後端部寄りの部位に取付けられた伸縮可能な床用目地機構１１とで構成されている。
【００１２】
前記複数個のガイド部材７は前記目地部２の幅寸法の約３分の２の寸法の角パイプ材で形成されたガイド部材本体１２と、このガイド部材本体１２の後端部寄りの部位に形成された枢支ピン挿入孔１３と、この枢支ピン挿入孔１３に挿入された枢支ピン６で前記ガイド部材本体１２の先端部を上下方向に回動させることができるように前記一方の建物３や他方の建物３の外壁躯体５、５に形成された支持凹部１４、１４に固定された取付け金具１５、１５とで構成されている。
【００１３】
前記複数個のスライド部材９は前記目地部２の幅寸法の約３分の２の寸法の角材で前記ガイド部材本体１２内をスライド移動できるスライド部材本体１６と、このスライド部材本体１６の後端部寄りの部位に形成された枢支ピン挿入孔１７と、この枢支ピン挿入孔１７に挿入された枢支ピン８で、前記スライド部材本体１６の先端部を上下方向に回動させることができるように、前記他方の建物３や一方の建物３の外壁躯体５、５に形成された支持凹部１４、１４に固定された取付け金具１８、１８とで構成されている。
【００１４】
前記床用目地機構１１は一方の建物３側と他方の建物３側のガイド部材本体１２、１２の上部に後端部側が固定されたチャンネル状のガイド部材側支持金具１９およびスライド部材側支持金具２０と、このガイド部材側支持金具１９およびスライド部材側支持金具２０のほぼ中央部に両端部が位置する、前記目地部２を覆う目地プレート２１と、前記ガイド部材側支持金具１９および前記スライド部材側支持金具２０の上部を前記目地プレート２１のスライド移動を可能に覆うガイド部材側カバープレート２２およびスライド部材側カバープレート２３と、前記目地プレート２１が前記ガイド部材側支持金具１９と前記スライド部材側支持金具２０とからの脱落を防止する、該目地プレート２１の両端部に下方へ折り曲げ形成されたストッパー片２４、２４で形成された脱落防止機構２５とで構成されている。
【００１５】
上記構成の高層階用床目地装置１は、地震により左右の建物３、３が異なる方向へ揺れ動いて、目地部２が狭くなったり広くなるように揺れ動いても、一方の建物３の外壁躯体５に取付けられた複数個のガイド部材本体１２と他方の建物３の外壁躯体５に取付けられた複数個のガイド部材本体１２とは一直線の状態で床用目地機構支持機構１０が伸縮するため、この床用目地機構支持機構１０の両端部に両端部寄りの部位が取付けられた床用目地機構１１には伸縮方向の力しか加わらない。
【００１６】
このため、従来の高層階に設置された床目地装置のように、目地プレートやカバープレートを損傷させるような曲げ力が加わったり、ハネ上げ力が加わったりするのを確実に防止することができ、安全で、損傷を防止できる状態で、安心して使用することができる。
【００１７】
なお、複数個のスライド部材９のスライド移動をよりスムーズにできるように複数個のガイド部材７の先端部の上面を傾斜面２６に形成するとともに、ガイド部材側支持金具１９およびスライド部材側支持金具２０の先端側底面を傾斜面２７、２７に形成しておくことにより、目地部２が狭くなるような揺れ動き時に、該部位が衝突したりするのを確実に阻止できる。  
【００１８】
[発明を実施するための異なる形態]
次に、図９ないし図３３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図９ないし図１２に示す本発明を実施するための第２の形態において、前記本発明を実施するための第１の形態と主に異なる点は、複数個のガイド部材７の先端部の上部内壁面にスベリ材あるいはローラー２８を取付けるとともに、複数個のスライド部材９の先端部の底面にスベリ材あるいはローラー２９を取付け、さらにスムーズにスライド移動できるようにした床目地機構支持機構１０Ａを用いた点で、このような床用目地機構支持機構１０Ａを用いて構成した高層階用床目地装置１Ａにしても、前記本発明を実施するための第１の形態と同様な作用効果が得られる。
【００２０】
図１３ないし図１６に示す本発明を実施するための第３の形態において、前記本発明を実施するための第１の形態と主に異なる点は、上部が開口３０するリップミゾ形鋼形状の筒部材状のガイド部材本体１２Ａを用いたガイド部材７Ａと、このガイド部材本体１２Ａ内に収納される角パイプ材で形成されたスライド部材本体１６Ａ、このスライド部材本体１６Ａの先端部の底面に取付けられた前記ガイド部材本体１２Ａの内壁面を転動するローラー３１、前記スライド部材本体１２Ａの上面中央部に固定された前記ガイド部材７Ａの開口３０に位置し、かつ該ガイド部材７Ａの上面と上面がほぼ同一面となる突片３２とからなるスライド部材９Ａと、前記ガイド部材本体１２Ａの先端部の内壁面に取付けられた前記スライド部材９Ａのスライド部材本体１６Ａの上面を転動する一対の上部ローラー３３、３３を用いた床用目地機構支持機構１０Ｂを用いるとともに、目地プレート２１の中央部を目地部の中央部に常時位置させるパンタグラフ形状の脱落防止機構としての中央維持リンク３４、３４をガイド部材側支持金具１９とスライド部材側支持金具２０とに両端部を枢支し、中央枢支部３５を目地プレート２１の中央部に枢支した床目地機構１１Ａを用いた点で、このように構成した高層階用床目地装置１Ｂにしても、前記本発明を実施するための第１の形態と同様な作用効果が得られる。
【００２１】
図１７ないし図２０に示す本発明を実施するための第４の形態において、前記本発明を実施するための第３の形態と主に異なる点は、Ｈ形形状のスライド部材本体１６Ｂを用いてスライド部材９Ｂを構成した点で、このようなスライド部材９Ｂを用いた床用目地機構支持機構１０Ｃを用いた高層階用床目地装置１Ｃにしても、前記本発明を実施するための第３の形態と同様な作用効果が得られる。
【００２２】
図２１ないし図２５に示す本発明を実施するための第５の形態において、前記本発明を実施するための第４の形態と主に異なる点は、スライド部材本体１６Ｂの下部片１６ａの上部に、上部ローラー３３、３３が位置するようにガイド部材７Ａに取付けるとともに、スライド部材本体１６Ｂの後端部およびガイド部材７Ａの後端部を前後方向にも回動できるように取付け金具３６、３６より下方へ軸３７、３７を突出し、該軸３７、３７を回動可能に支持する軸受３８、３８を一方の建物３の外壁躯体５と他方の建物３の外壁躯体５に取付けた点で、このような床用目地機構支持機構１０Ｄを用いて構成した高層階用床目地装置１Ｄにしても、前記本発明を実施するための第３の形態と同様な作用効果が得られるとともに、図２５に示すように異なる前後方向に左右の建物が地震で揺れ動いても、その揺れ動きを吸収することができる。
【００２３】
図２６ないし図３０に示す本発明を実施するための第６の形態において、前記本発明を実施するための第１の形態と主に異なる点は、コ字状のガイド部材７Ｂを、先端部を上下方向および左右方向の回動金具３９を用いて建物３の外壁躯体５に取付けるとともに、該コ字状のガイド部材７Ｂとスライド移動可能な板状のスライド部材９Ｃを、先端部を上下方向および左右方向の回動金具３９を用いて建物３の外壁躯体５に取付けた床用目地機構支持機構１０Ｅを用いた点で、このような床用目地機構支持機構１０Ｅを用いた高層階用床目地装置１Ｅにしても、同様な作用効果が得られる。
【００２４】
図３１ないし図３３に示す本発明を実施するための第７の形態において、前記本発明を実施するための第５の形態と主に異なる点は、突片３２を一体的に形成した逆Ｔ字状のスライド部材本体１６Ｃを用いてスライド部材９Ｄを構成した点で、このようなスライド部材９Ｄを用いた床用目地機構支持機構１０Ｆを用いた高層階用床目地装置１Ｆにしても、前記本発明を実施するための第５の形態と同様な作用効果が得られる。
【００２５】
なお、本発明の実施の形態では筒部材状のガイド部材本体１２Ａに上部ローラー３３、３３を取り付けたものについて説明したが、本実施の形態では逆Ｔ字状のスライド部材本体１６Cにガイド部材本体１２Ａの上部片の内壁面に接する上部ローラー３３、３３を取り付けてもよい。
【産業上の利用可能性】
【００２６】
本発明は目地部を介して設けられた左右の建物を高層階で接続する渡り通路の床目地部に設置される高層階用床目地装置を製造する産業で利用される。
【符号の説明】
【００２７】
１、１Ａ、１Ｂ、１Ｃ、１Ｄ、１Ｅ、１Ｆ：高層階用床目地装置、
２：目地部、        ３：建物、
４：通路、          ５：外壁躯体、  
６：枢支ピン、      ７、７Ａ：ガイド部材、
８：枢支ピン、      ９、９Ａ、９Ｂ、９Ｃ、９Ｄ：スライド部材、
１０、１０Ａ、１０Ｂ、１０Ｃ、１０Ｄ、１０Ｅ、１０Ｆ：床用目地機構支持機構、
１１、１１Ａ：床用目地機構、  １２、１２Ａ：ガイド部材本体、
１３：枢支ピン挿入孔、    １４：支持凹部、
１５：取付け金具、      １６、１６Ａ、１６Ｂ、１６Ｃ：スライド部材本体、
１７：枢支ピン挿入孔、    １８：取付け金具、
１９：ガイド部材側支持金具、  ２０：スライド部材側支持金具、
２１：目地プレート、    
２２：ガイド部材側カバープレート、
２３：スライド部材側カバープレート、
２４：ストッパー片、    ２５：脱落防止機構、
２６：傾斜面、      ２７：傾斜面、
２８：スベリ材あるいはローラー、
２９：スベリ材あるいはローラー、
３０：開口、        ３１：ローラー、
３２：突片、        ３３：上部ローラー、
３４：中央維持リンク、    ３５：中央枢支部、
３６：取付け金具、      ３７：軸、
３８：軸受、        ３９：回動金具。
【図１】
0005491352.tif 000002
【図２】
0005491352.tif 000003
【図３】
0005491352.tif 000004
【図４】
0005491352.tif 000005
【図５】
0005491352.tif 000006
【図６】
0005491352.tif 000007
【図７】
0005491352.tif 000008
【図８】
0005491352.tif 000009
【図９】
0005491352.tif 000010
【図１０】
0005491352.tif 000011
【図１１】
0005491352.tif 000012
【図１２】
0005491352.tif 000013
【図１３】
0005491352.tif 000014
【図１４】
0005491352.tif 000015
【図１５】
0005491352.tif 000016
【図１６】
0005491352.tif 000017
【図１７】
0005491352.tif 000018
【図１８】
0005491352.tif 000019
【図１９】
0005491352.tif 000020
【図２０】
0005491352.tif 000021
【図２１】
0005491352.tif 000022
【図２２】
0005491352.tif 000023
【図２３】
0005491352.tif 000024
【図２４】
0005491352.tif 000025
【図２５】
0005491352.tif 000026
【図２６】
0005491352.tif 000027
【図２７】
0005491352.tif 000028
【図２８】
0005491352.tif 000029
【図２９】
0005491352.tif 000030
【図３０】
0005491352.tif 000031
【図３１】
0005491352.tif 000032
【図３２】
0005491352.tif 000033
【図３３】
0005491352.tif 000034